(57)【要約】【目的】温度変化があってもスルー画をピントよく表示できるデジタルカメラを提供する。【構成】電源投入後にズームレンズ２４が沈胴位置から繰り出され、初期位置にセットされると同時に、パンフォーカス状態となるように絞り２７の絞り径がセットされる。続いて、スルー画取り込みと取り込んだスルー画の液晶パネル１９への表示を開始する。ＣＰＵ２１は、温度センサ２５から出力される温度データをチェックして、各焦点距離における現在の温度を確認する。現在の温度が現状位置での温度範囲を満たさなくなった時、ルックアップテーブル４２ａから読み出したパルス数をレンズ駆動機構２８のステッピングモータに印加し、ズームレンズ２４のフォーカスレンズを移動する。これにより、ピント位置が修正され、ピントが合ったシャープなスルー画が液晶パネル１９に表示される。【選択図】        図２
2004287183.tif 000002
【特許請求の範囲】
【請求項１】
撮影レンズによって結像される被写体像を光電変換して撮影画像を得る撮像手段と、前記撮影レンズをパンフォーカスにして撮像手段によって取り込まれるフレームをリアルタイムで再生してスルー画として表示する電子ビューファインダとを備えたデジタルカメラにおいて、
前記撮影レンズの温度を測る温度測定手段と、前記撮影レンズの温度に対する撮影レンズのピント修正量を表す温度ルックアップテーブルと、この温度ルックアップテーブルを参照して撮影レンズのピント位置を修正する制御手段とを設けたことを特徴とするデジタルカメラ。
【請求項２】
撮影レンズによって結像される被写体像を光電変換して撮影画像を得る撮像手段と、この撮像手段によって取り込まれるフレームをリアルタイムで再生してスルー画として表示する電子ビューファインダと、被写体との距離を測って撮影レンズのピント合わせを行うオートフォーカス手段とを備えたデジタルカメラにおいて、
前記撮影レンズの温度を測る温度測定手段と、前記オートフォーカス手段を電源投入に伴って作動させる初期合焦手段と、前記電源投入時の撮影レンズの温度とその後に変化した撮影レンズの温度との差に応じて撮影レンズのピント修正量を表す温度差ルックアップテーブルと、この温度差ルックアップテーブルを参照して撮影レンズのピント位置を修正する制御手段とを設けたことを特徴とするデジタルカメラ。
【請求項３】
撮影レンズによって結像される被写体像を光電変換して撮影画像を得る撮像手段と、この撮像手段によって取り込まれるフレームをリアルタイムで再生してスルー画として表示する電子ビューファインダと、シャッタボタンの半押し又は全押しにより撮影レンズのピント合わせを自動的に行うオートフォーカス手段とを備えたデジタルカメラにおいて、
前記撮影レンズの温度を測る温度測定手段と、前記オートフォーカス手段による合焦時の撮影レンズの温度とその後に変化した撮影レンズの温度との差に応じて撮影レンズのピント修正量を表す温度差ルックアップテーブルと、この温度差ルックアップテーブルを参照して撮影レンズのピント位置を修正する制御手段とを設けたことを特徴とするデジタルカメラ。
【請求項４】
撮影レンズによって結像される被写体像を光電変換して撮影画像を得る撮像手段と、この撮像手段によって取り込まれるフレームをリアルタイムで再生してスルー画として表示する電子ビューファインダと、シャッタボタンの半押し又は全押しにより撮影レンズのピント合わせを自動的に行うオートフォーカス手段とを備えたデジタルカメラにおいて、
前記撮影レンズの温度を測る温度測定手段と、前記オートフォーカス手段による合焦時の撮影レンズの温度とその後に変化した撮影レンズの温度との差に応じて撮影レンズのピント修正量を表す温度差ルックアップテーブルと、シャッタボタンの半押しを継続する間に、この温度差ルックアップテーブルを参照して撮影レンズのピント位置を修正する制御手段とを設けたことを特徴とするデジタルカメラ。
【請求項５】
前記オートフォーカス手段による撮影レンズの合焦が不成功であった場合に、前記制御手段は、撮影レンズをパンフォーカスにするとともに、撮影レンズの温度に対する撮影レンズのピント修正量を表す温度ルックアップテーブルを参照して撮影レンズのピント位置を修正することを特徴とする請求項２ないし４いずれか記載のデジタルカメラ。
【請求項６】
撮影レンズによって結像される被写体像を光電変換して撮影画像を得る撮像手段と、この撮像手段によって取り込まれるフレームをリアルタイムで再生してスルー画として表示する電子ビューファインダと、シャッタボタンの半押し又は全押しにより撮影レンズのピント合わせを自動的に行うオートフォーカス手段とを備えたデジタルカメラにおいて、
前記撮影レンズの温度を測る温度測定手段と、前記撮影レンズの温度に対する撮影レンズのピント修正量を表す温度ルックアップテーブルと、前記温度測定手段から出力された撮影レンズの温度が温度ルックアップテーブルを参照して撮影レンズのピント修正を行うべき温度である場合に、前記撮影レンズをパンフォーカスにするとともに、前記温度ルックアップテーブルを参照して撮影レンズのピント位置を修正する制御手段とを設けたことを特徴とするデジタルカメラ。
【請求項７】
撮影レンズによって結像される被写体像を光電変換して撮影画像を得る撮像手段と、この撮像手段によって取り込まれるフレームをリアルタイムで再生してスルー画として表示する電子ビューファインダと、シャッタボタンの半押し又は全押しにより撮影レンズのピント合わせを自動的に行うオートフォーカス手段とを備えたデジタルカメラにおいて、
前記撮影レンズの温度を測る温度測定手段と、前記オートフォーカス手段による合焦時の撮影レンズの温度とその後に変化した撮影レンズの温度との差に応じて撮影レンズのピント修正量を表す温度差ルックアップテーブルと、前記撮影レンズの温度に対する撮影レンズのピント修正量を表す温度ルックアップテーブルと、前記合焦時の撮影レンズの温度とその後に変化した撮影レンズの温度との差が予め決められた限界値を超えた場合に、前記撮影レンズをパンフォーカスにするとともに、前記温度ルックアップテーブルを参照して撮影レンズのピント位置を修正する制御手段とを設けたことを特徴とするデジタルカメラ。
【請求項８】
撮影レンズによって結像される被写体像を光電変換して撮影画像を得る撮像手段と、この撮像手段によって取り込まれるフレームをリアルタイムで再生してスルー画として表示する電子ビューファインダと、シャッタボタンの半押し又は全押しにより撮影レンズのピント合わせを自動的に行うオートフォーカス手段とを備えたデジタルカメラにおいて、
前記撮影レンズの温度を測る温度測定手段と、前記オートフォーカス手段による合焦時の撮影レンズの温度とその後に変化した撮影レンズの温度との差に応じて撮影レンズのピント修正量を表す温度差ルックアップテーブルと、前記撮影レンズの温度に対する撮影レンズのピント修正量を表す温度ルックアップテーブルと、前記オートフォーカス手段による合焦時から一定時間が経過した後、前記撮影レンズをパンフォーカスにするとともに、前記温度ルックアップテーブルを参照して撮影レンズのピント位置を修正する制御手段とを設けたことを特徴とするデジタルカメラ。
【発明の詳細な説明】
【０００１】
【発明の属する技術分野】
本発明は、デジタルカメラに関し、更に詳しくは温度変化があってもスルー画をピントよく表示できるデジタルカメラに関するものである。
【０００２】
【従来の技術】
ＣＣＤやＣＭＯＳイメージセンサ等の固体撮像素子を用いて撮影画像の画像データをデジタルデータとしてメモリカードに記録するデジタルカメラが普及してきている。デジタルカメラの多くには、フレーミングの際に、固体撮像素子が撮像した画像をリアルタイムで再生し、これを液晶パネルにスルー画として表示する電子ビューファインダが設けられている。
【０００３】
デジタルカメラの比較的高価格帯に属する機種では、コンティニュアスＡＦを搭載しており、電子ビューファインダの表示画面でもリアルタイムにピント合わせを行って常にシャープなスルー画を表示しているが、比較的低価格帯に属する機種では、撮影レンズを固定焦点式として、コンティニュアスＡＦを搭載していない。
【０００４】
また、比較的低価格帯に属するデジタルカメラでは、よりローコスト化，小型軽量化を図るため、撮影レンズがガラスレンズからプラスチックレンズになってきている。ところが、プラスチックレンズは、温度変化による屈折率の変化がガラスレンズと比べて約１００倍と非常に大きいため、温度変化によって焦点距離が大きく変動するという欠点がある。
【０００５】
このため、例えば特許文献１記載の固定焦点カメラでは、固定焦点式の撮影レンズまたは固体撮像素子を撮影光軸方向に移動自在に設けるとともに、レンズ鏡胴の外周面に温度センサを取り付け、レンズ鏡胴の温度を示す情報をＣＰＵに出力し、ＣＰＵが温度情報に基づいてＣＣＤ又は撮影レンズを移動することによりＣＣＤと撮影レンズとの距離を変更し、レンズ鏡胴の熱膨張，熱収縮によるピントずれを補正している。
【０００６】
【特許文献１】
特開平８−１１４７３６号公報
【０００７】
【発明が解決しようとする課題】
ところで、中間的な価格帯のデジタルカメラでは、オートフォーカス機構を搭載しており、実際の撮影時にはピント合わせを行うが、スルー画表示では撮影レンズをパンフォーカスにしてピント合わせを行わないものが多い。ところが、上述したように撮影レンズをプラスチックレンズとすると、温度変化によって撮影レンズのピントずれが発生しやすいため、電子ビューファインダに表示されたスルー画がピンぼけになる場合がある。なお、上記特許文献１には、スルー画についての記載はない。
【０００８】
本発明は、温度変化があってもスルー画をピントよく表示できるデジタルカメラを提供することを目的とする。
【０００９】
【課題を解決するための手段】
上記目的を達成するために、本発明のデジタルカメラは、撮影レンズによって結像される被写体像を光電変換して撮影画像を得る撮像手段と、前記撮影レンズをパンフォーカスにして撮像手段によって取り込まれるフレームをリアルタイムで再生してスルー画として表示する電子ビューファインダとを備えたデジタルカメラにおいて、前記撮影レンズの温度を測る温度測定手段と、前記撮影レンズの温度に対する撮影レンズのピント修正量を表す温度ルックアップテーブルと、この温度ルックアップテーブルを参照して撮影レンズのピント位置を修正する制御手段とを設けたものである。
【００１０】
また、撮影レンズによって結像される被写体像を光電変換して撮影画像を得る撮像手段と、この撮像手段によって取り込まれるフレームをリアルタイムで再生してスルー画として表示する電子ビューファインダと、被写体との距離を測って撮影レンズのピント合わせを行うオートフォーカス手段とを備えたデジタルカメラにおいて、前記撮影レンズの温度を測る温度測定手段と、前記オートフォーカス手段を電源投入に伴って作動させる初期合焦手段と、前記電源投入時の撮影レンズの温度とその後に変化した撮影レンズの温度との差に応じて撮影レンズのピント修正量を表す温度差ルックアップテーブルと、この温度差ルックアップテーブルを参照して撮影レンズのピント位置を修正する制御手段とを設けたものである。
【００１１】
また、撮影レンズによって結像される被写体像を光電変換して撮影画像を得る撮像手段と、この撮像手段によって取り込まれるフレームをリアルタイムで再生してスルー画として表示する電子ビューファインダと、シャッタボタンの半押し又は全押しにより撮影レンズのピント合わせを自動的に行うオートフォーカス手段とを備えたデジタルカメラにおいて、前記撮影レンズの温度を測る温度測定手段と、前記オートフォーカス手段による合焦時の撮影レンズの温度とその後に変化した撮影レンズの温度との差に応じて撮影レンズのピント修正量を表す温度差ルックアップテーブルと、この温度差ルックアップテーブルを参照して撮影レンズのピント位置を修正する制御手段とを設けたものである。
【００１２】
また、撮影レンズによって結像される被写体像を光電変換して撮影画像を得る撮像手段と、この撮像手段によって取り込まれるフレームをリアルタイムで再生してスルー画として表示する電子ビューファインダと、シャッタボタンの半押し又は全押しにより撮影レンズのピント合わせを自動的に行うオートフォーカス手段とを備えたデジタルカメラにおいて、前記撮影レンズの温度を測る温度測定手段と、前記オートフォーカス手段による合焦時の撮影レンズの温度とその後に変化した撮影レンズの温度との差に応じて撮影レンズのピント修正量を表す温度差ルックアップテーブルと、シャッタボタンの半押しを継続する間に、この温度差ルックアップテーブルを参照して撮影レンズのピント位置を修正する制御手段とを設けたものである。
【００１３】
また、前記オートフォーカス手段による撮影レンズの合焦が不成功であった場合に、前記制御手段は、撮影レンズをパンフォーカスにするとともに、撮影レンズの温度に対する撮影レンズのピント修正量を表す温度ルックアップテーブルを参照して撮影レンズのピント位置を修正するものである。
【００１４】
また、撮影レンズによって結像される被写体像を光電変換して撮影画像を得る撮像手段と、この撮像手段によって取り込まれるフレームをリアルタイムで再生してスルー画として表示する電子ビューファインダと、シャッタボタンの半押し又は全押しにより撮影レンズのピント合わせを自動的に行うオートフォーカス手段とを備えたデジタルカメラにおいて、前記撮影レンズの温度を測る温度測定手段と、前記撮影レンズの温度に対する撮影レンズのピント修正量を表す温度ルックアップテーブルと、前記温度測定手段から出力された撮影レンズの温度が温度ルックアップテーブルを参照して撮影レンズのピント修正を行うべき温度である場合に、前記撮影レンズをパンフォーカスにするとともに、前記温度ルックアップテーブルを参照して撮影レンズのピント位置を修正する制御手段とを設けたものである。
【００１５】
また、撮影レンズによって結像される被写体像を光電変換して撮影画像を得る撮像手段と、この撮像手段によって取り込まれるフレームをリアルタイムで再生してスルー画として表示する電子ビューファインダと、シャッタボタンの半押し又は全押しにより撮影レンズのピント合わせを自動的に行うオートフォーカス手段とを備えたデジタルカメラにおいて、前記撮影レンズの温度を測る温度測定手段と、前記オートフォーカス手段による合焦時の撮影レンズの温度とその後に変化した撮影レンズの温度との差に応じて撮影レンズのピント修正量を表す温度差ルックアップテーブルと、前記撮影レンズの温度に対する撮影レンズのピント修正量を表す温度ルックアップテーブルと、前記合焦時の撮影レンズの温度とその後に変化した撮影レンズの温度との差が予め決められた限界値を超えた場合に、前記撮影レンズをパンフォーカスにするとともに、前記温度ルックアップテーブルを参照して撮影レンズのピント位置を修正する制御手段とを設けたものである。
【００１６】
また、撮影レンズによって結像される被写体像を光電変換して撮影画像を得る撮像手段と、この撮像手段によって取り込まれるフレームをリアルタイムで再生してスルー画として表示する電子ビューファインダと、シャッタボタンの半押し又は全押しにより撮影レンズのピント合わせを自動的に行うオートフォーカス手段とを備えたデジタルカメラにおいて、前記撮影レンズの温度を測る温度測定手段と、前記オートフォーカス手段による合焦時の撮影レンズの温度とその後に変化した撮影レンズの温度との差に応じて撮影レンズのピント修正量を表す温度差ルックアップテーブルと、前記撮影レンズの温度に対する撮影レンズのピント修正量を表す温度ルックアップテーブルと、前記オートフォーカス手段による合焦時から一定時間が経過した後、前記撮影レンズをパンフォーカスにするとともに、前記温度ルックアップテーブルを参照して撮影レンズのピント位置を修正する制御手段とを設けたものである。
【００１７】
【発明の実施の形態】
本発明の第１実施形態の外観を示す図１において、デジタルカメラ１０のカメラ本体１１前面には、ズームレンズが組み込まれたレンズ鏡筒１２が設けられており、上面には、電源ボタン１３及びシャッタボタン１４が設けられている。また、カメラ本体１１の背面には、ズームボタン１６，４つのボタンが十字配列された汎用キー１７，モード選択レバー１８、液晶（ＬＣＤ：Ｌｉｑｕｉｄ  Ｃｒｙｓｔａｌ  Ｄｉｓｐｌａｙ）パネル１９が設けられている。
【００１８】
モード選択レバー１８は、撮影を行う撮影モード、撮影画像を再生する再生モード、各種設定を行うセットアップモードなどの各種のモードを選択する。汎用キー１７は、メニュー画面内に表示され各種項目を選択するカーソルの移動や、項目の選択等に使用される。液晶パネル１９は、再生モードにおいては、撮影画像の再生表示に使用され、セットアップモードでは、各種設定を行うためのメニュー画面の表示に用いられるとともに、撮影モードでは、被写体確認用画像であるスルー画を表示する電子ビューファインダとして使用される。
【００１９】
ズームボタン１６は、拡大ボタン１６ａ、縮小ボタン１６ｂからなり、レンズ鏡筒１２に組み込まれたズームレンズの変倍を行う。なお、実際にズームレンズの変倍を行う前に、電子ズームによる変倍を行い、フレーミングが決まった後、シャッタボタン１４の全押しにより、電子ズーム倍率に応じてズームレンズの光学ズーム倍率を変更して本画像の撮影処理を実行するようにしてもよい。
【００２０】
図２は、デジタルカメラ１０の構成を示すブロック図である。カメラ本体１１には、メモリカード２３が着脱自在にセットされる。このメモリカード２３には、後述する本画像の画像データが、例えば、ＪＰＧ（Ｊｏｉｎｔ  Ｐｈｏｔｏｇｒａｐｈｉｃ  ｅｘｐｅｒｔ  Ｇｒｏｕｐ  ）形式の画像ファイルに変換されて記憶される。
【００２１】
ＣＰＵ２１は、操作部２２から入力される操作信号に応じてデジタルカメラ１０の本体各部を制御する。レンズ鏡筒１２内には、撮影レンズとしてのズームレンズ２４が組み込まれている。このズームレンズ２４は、レンズ２６と絞り２７からなる。
【００２２】
前記レンズ２６は、複数枚のプラスチックレンズから構成されたバリエータレンズである前群レンズと、やはり複数枚のプラスチックレンズから構成されたフォーカシング機能をもったコンペンセータレンズである後群レンズ（以下フォーカスレンズという）とからなる２群構成となっている。これにより、ズームレンズ２４のレンズ２６は、軽量化が図られている反面、温度変化によってプラスチックレンズが膨張，収縮してピント位置がずれるという特性を有する。このため、レンズ２６の温度（より正確にはズームレンズ２４近傍の温度）を測定して温度データをＣＰＵ２１に出力する温度センサ２５が、ズームレンズ２４の近傍に設けられている。
【００２３】
前記レンズ２６は、ステッピングモータを含むレンズ駆動機構２８によって駆動されて、光学ズーム倍率の変更と焦点調節が行われる。絞り２７は、モータを含む絞り駆動機構２９によって駆動されて絞り径が切り換えられる。レンズ駆動機構２８及び絞り駆動機構２９は、ＣＰＵ２１に制御されるモータドライバ３１，３２によって駆動される。
【００２４】
スルー画の表示を行う際には、各焦点距離（各変倍位置）においてズームレンズ２４がパンフォーカス状態となるように、絞り２７の絞り径が変更される。
【００２５】
撮影光学系の背後には、撮像素子としてＣＣＤ３３が配置されている。ＣＣＤ３３は、周知のように、多数の受光素子をマトリックス状に配列された光電面を備えており、撮影光学系を通過し、この光電面に結像した被写体光を光電変換する。光電面の前方には、各画素に光を集光するためのマイクロレンズアレイと、各画素がそれぞれＲ，Ｇ，Ｂのいずれかに対応するように各色のフイルタが規則的に配列されたカラーフイルタアレイとが配置されている。
【００２６】
ＣＣＤ３３は、ＣＣＤドライバ３６から供給される垂直転送クロック及び水平転送クロックに同期して、画素毎に蓄積された電荷を１ラインずつシリアルな撮像信号として出力する。各画素の電荷蓄積時間（露出時間）は、ＣＣＤドライバ３６から与えられる電子シャッタ駆動信号によって決められる。
【００２７】
ＣＣＤ３３から取り込まれたアナログの撮像信号は、アナログ信号処理回路３８に入力される。アナログ信号処理回路３８は、相関２重サンプリング回路（ＣＤＳ）と、オートゲインコントローラ（ＡＧＣ）と、ＡＤコンバータ（ＡＤＣ）とからなる。前記ＣＤＳは、アナログ信号のノイズを除去し、ＡＧＣはアナログ信号のゲインを自動調節する。
【００２８】
前記ＡＤＣは、アナログ信号をデジタル変換して画像データを生成する。この画像データは、各画素毎にＲ，Ｇ，Ｂの濃度値を持つＣＣＤ−ＲＡＷデータであり、このＣＣＤ−ＲＡＷデータがＤＳＰ（Ｄｉｇｉｔａｌ  Ｓｉｇｎａｌ  Ｐｒｏｃｅｓｓｏｒ）  ４１へ入力される。アナログ信号処理回路３８にも、タイミングジェネレータ（ＴＧ）３７からのタイミング信号が供給され、ＣＣＤ３３から電荷が取り込みまれるタイミングと同期が取られている。
【００２９】
ＣＣＤ３３から取り込まれる画像データには、本撮影時に取り込まれメモリカード２３へ記録される本画像と、フレーミングに利用されるスルー画とがある。
スルー画は、撮影モードが選択されている間、所定のフレームレート（例えば、１秒間に３０コマ）で取り込まれる。また、スルー画は、表示用の画像であるため、本画像と比較して画素数が少ない。シャッタボタン１４の全押しにより撮影指示がなされると、本画像が取り込まれる。ＣＣＤ３３から取り込まれた画像は、フレームメモリ３９へ書き込まれる。
【００３０】
フレームメモリ３９は、ＤＳＰ（Ｄｉｇｉｔａｌ  Ｓｉｇｎａｌ  Ｐｒｏｃｅｓｓｏｒ）  ４１が画像データに対して各種信号処理を施す際に使用する作業用メモリである。フレームメモリ３９は、データバス５５を介して、ＣＰＵ２１とＤＳＰ４１の各部と接続されている。フレームメモリ３９としては、例えば、一定周期のバスクロック信号に同期してデータ転送を行うＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が使用される。フレームメモリ３９に書き込まれた画像は、ＤＳＰ４１によって各種の画像処理が施される。
【００３１】
また、データバス５５を介して、フラッシュメモリ４２が接続されている。このフラッシュメモリ４２には、次の表１に示すように、焦点距離Ｚ１，Ｚ２，Ｚ３，・・・におけるズームレンズ２４の温度と、ピント位置を補正するためにレンズ駆動機構２８のステッピングモータに印加される補正パルス数との関係を表すルックアップテーブル４２ａが記憶されている。
【００３２】
【表１】
2004287183.tif 000003
【００３３】
なお、焦点距離Ｚ１，Ｚ２，Ｚ３，・・・は、ズームレンズ２４のズーミング範囲から、例えば１０個の焦点距離を任意に選択したものである。ズームレンズ２４のズーミング範囲が、例えば３５ミリ換算で２８ミリ〜１００ミリである場合、焦点距離Ｚ１，Ｚ２，Ｚ３，・・・Ｚ１０は、例えば２８ミリ，３０ミリ，３５ミリ，３８ミリ，４０ミリ，５０ミリ，６０ミリ，７０ミリ，８５ミリ，１００ミリである。
【００３４】
表１に示すように、ルックアップテーブル４２ａでは、ズームレンズ２４の現在の温度Ｔが、現状位置（焦点距離及びピント位置）での温度範囲（Ｔ３＋Ｔ４）／２＜Ｔ＜（Ｔ４＋Ｔ５）／２を満たす場合には、ピント位置の修正は行わず、例えば、初期位置のワイド端である焦点距離Ｚ１でズームレンズ２４の現在の温度Ｔが、基準温度であるＴ４（２５℃）からＴ５（３０℃）に変動した場合、＋方向（ニア（ｎｅａｒ）方向）にピント位置が移動されるように５個のパルスをステッピングモータに印加する。また、例えば、焦点距離Ｚ２でズームレンズ２４の現在の温度ＴがＴ４（２５℃）からＴ３（２０℃）に変動した場合、−方向（インフ（ｉｎｆ．：ｉｎｆｉｎｉｔｙ）方向）にピント位置を移動するように３個のパルスをステッピングモータに印加する。
【００３５】
ＤＳＰ４１は、ＡＦ回路４３，ＡＥ／ＡＷＢ回路４４，画像入力コントローラ４６，画像処理回路４８，圧縮処理回路４９，メディアコントローラ５０，ビデオエンコーダ５１からなるＩＣチップであり、アナログ信号処理回路３８から入力された画像データに対して、各種の信号処理を施すとともに、スルー画のＬＣＤ１９への表示や、メモリカード２３へアクセスして画像ファイルの読み書きを行う。
【００３６】
画像入力コントローラ４６は、アナログ信号処理回路３８から前記ＣＣＤ−ＲＡＷデータを取り込んで、これをフレームメモリ３９に書き込む。ＡＦ回路４３は、シャッタボタン１４の半押し又は全押しに応答して、ＣＣＤ３３が撮像した画像に基づいて、焦点位置を検出する。ＡＥ回路は、被写体輝度を測定し、絞り値やシャッタ速度等を決定する。ＡＷＢ回路は、オートホワイトバランス回路であり、撮影時のホワイトバランスを自動調整する。
【００３７】
圧縮処理回路４９は、画像処理回路４８によって各種の画像処理が施された本画像のデータに対して、圧縮処理を施して、画像ファイルを生成する。メディアコントローラ５０は、メモリカード２３へアクセスして画像ファイルの書き込みと読み込みとを行う。再生モードにおいては、メモリカード２３から圧縮された画像データが読み出されて、圧縮処理回路４９によって伸張処理が施された後、ＬＣＤ１９に出力される。
【００３８】
画像処理回路４８は、画像データに対して、ガンマ補正，シャープネス補正，コントラスト補正などの画質補正処理、ＣＣＤ−ＲＡＷデータを輝度信号であるＹデータと、青色色差信号であるＣｂデータ及び赤色色差信号であるＣｒデータとからなるＹＣデータに変換するＹＣ処理を施す。
【００３９】
ＶＲＡＭ４０は、ＬＣＤ１９への画像出力用メモリである。スルー画は、このＶＲＡＭ４０に一旦書き込まれてから、ビデオエンコーダ５１へ送られる。ビデオエンコーダ５１は、デジタルデータをアナログのコンポジット信号に変換してＬＣＤ１９に出力する。スルー画は、高速で書き換えられるので、ＶＲＡＭ４０には、データの書き込みと読み出しとを並行してできるように、２フレーム分のエリア４０ａ，４０ｂが設けられている。
【００４０】
このように構成された第１実施形態の作用について、図３に示すフローチャートを参照しながら説明する。電源ボタン１３を押して電源を投入した直後には、デジタルカメラ１０の初期設定が行われる。この初期設定では、ＣＰＵ２１や周辺ＩＣの立ち上げ等が行われる。この後、ＣＰＵ２１は、温度センサ２５から出力される温度データの読み込みを開始する。
【００４１】
続いて、ズームレンズ２４が沈胴位置から繰り出され、初期位置であるワイド端（焦点距離Ｚ１）にセットされると同時に、パンフォーカス状態となるように絞り２７の絞り径がセットされる。続いて、スルー画取り込みと取り込んだスルー画の液晶パネル１９への表示を開始する。
【００４２】
ユーザは、自由にズームボタン１６の拡大ボタン１６ａ、縮小ボタン１６ｂを押してズームレンズ２４の変倍を行いながらフレーミングを行う。このズームレンズ２４の変倍中、全ての焦点距離でパンフォーカス状態になるように、絞り２７の絞り径が変更され、これに伴って低下する光量を補うために、アナログ信号処理回路３８のＡＧＣがＣＣＤ３３から取り込まれたアナログ信号のゲインを自動調節する。
【００４３】
ＣＰＵ２１は、常に温度センサ２５から出力される温度データをチェックして、各焦点距離Ｚ１，Ｚ２，・・・における現在の温度Ｔを確認する。そして、ルックアップテーブル４２ａを参照して、現在の温度Ｔが現状位置での温度範囲（Ｔ３＋Ｔ４）／２＜Ｔ＜（Ｔ４＋Ｔ５）／２を満たす場合には、ピント位置の修正は不要であるから、そのままスルー画の表示を継続する。
【００４４】
現在の温度Ｔが温度範囲（Ｔ３＋Ｔ４）／２＜Ｔ＜（Ｔ４＋Ｔ５）／２を満たさなくなった時、例えば現在の温度ＴがＴ５（３０℃）に達すると、ＣＰＵ２１は、フラッシュメモリ４２のルックアップテーブル４２ａを参照して、焦点距離Ｚ１，Ｚ２，Ｚ３，・・・から現在の焦点距離に最も近い焦点距離を選択し、その焦点距離におけるピント位置を修正するためにレンズ駆動機構２８のステッピングモータに印加するべきパルス数を読み出す。例えば焦点距離Ｚ３では、パルス数はニア（ｎｅａｒ）方向に６個である。
【００４５】
更に、現在の温度ＴがＴ６（３５℃）に達したら、ステッピングモータに７個のパルス数を印加する（Ｔ４を基準として＋１３）。また、この後、現在の温度Ｔが温度範囲（Ｔ３＋Ｔ４）／２＜Ｔ＜（Ｔ４＋Ｔ５）／２に戻った場合には、インフ（ｉｎｆ．）方向にフォーカスレンズを移動する１３個のパルスをステッピングモータに印加する。
【００４６】
ＣＰＵ２１は、ルックアップテーブル４２ａから読み出したパルス数をレンズ駆動機構２８のステッピングモータに印加してズームレンズ２４のフォーカスレンズを移動する。これにより、ピント位置が修正され、ピントが合ったシャープなスルー画が液晶パネル１９に表示される。
【００４７】
撮影者は、液晶パネル１９に表示されたスルー画を見ながらフレーミングを行う。フレーミングが完了してシャッタボタン１４が半押しされると、測光及び測距が行われ、絞り調節やフォーカシングが行われる。このフォーカシングが行われた際には、スルー画表示におけるパンフォーカス状態は解除され、フォーカシングが行われた状態でのスルー画が液晶パネル１９に表示される。さらに、シャッタボタン１４が全押しされると、スルー画の表示が中断され、ＣＣＤ３３によって本撮影が行われる。取り込まれた本画像は、各種の画像処理が施された後、メモリカード２３に記録される。本撮影が終了すると、スルー画の表示が再開される。
【００４８】
次に、第２実施形態のデジタルカメラ６０は、図４に示すように、フラッシュメモリ４２に２つのルックアップテーブル４２ａ，４２ｂを格納している。ルックアップテーブル４２ｂは、次の表２に示すように、相対的な温度差によってピント位置の修正を行うものである。例えば、スルー画のピント合わせが行われた（合焦した）時の温度がＴ４（２５℃）であり、その後、ズームレンズ２４の温度が例えば１℃上昇した時には、レンズ駆動機構２８のステッピングモータに１個のパルスを印加してズームレンズ２４のフォーカスレンズをニア（ｎｅａｒ）方向に移動し、ピント位置の修正を行う。
【００４９】
【表２】
2004287183.tif 000004
【００５０】
第２実施形態の作用について、図５のフローチャートを参照して説明する。電源投入後に行われるズームレンズ２４の繰り出し動作の後、ＡＦ回路４３が作動してピント合わせが行われ、続けてスルー画が表示される。ＡＦ回路４３により合焦した場合には、ＣＰＵ２１はズームレンズ２４の温度観測を続け、合焦時との温度差が１℃以上になったら、ルックアップテーブル４２ｂ（表２参照）を参照して、対応するパルス数をレンズ駆動機構２８のステッピングモータに印加する。例えば、合焦時の温度がＴ３（２０℃）であって、その後に温度が２℃降下した場合には、ピント位置がインフ（ｉｎｆ．）方向にずれるように２個のパルスをステッピングモータに印加する。
【００５１】
被写体とズームレンズ２４との距離が近い場合など、ＡＦ回路４３で合焦しない場合には、パンフォーカス状態にセットするとともに、ルックアップテーブル４２ａを参照してズームレンズ２４のピント位置を現在の温度に対応したピント位置に修正する。
【００５２】
次に、第３実施形態について、図１，図４及び図６を参照して説明する。シャッタボタン１４の半押し又は全押しに応答してＡＥ処理，ＡＦ処理が行われてから、スルー画が表示される。ＡＦ処理で合焦した場合には、ＣＰＵ２１は、合焦時の温度と現在の温度との差が一定，本実施形態では１℃以上になるか否かを観測し、１℃以上になったらルックアップテーブル４２ｂを参照して、フォーカスレンズを移動してピント位置を修正する。
【００５３】
また、ＡＦ処理で合焦しなかった場合には、ズームレンズ２４をパンフォーカスにセットしてから、ルックアップテーブル４２ａを参照して、現在の温度Ｔが現状位置（焦点距離及びピント位置）での温度範囲（例えばＴ４（２５℃）が基準の場合（Ｔ３＋Ｔ４）／２＜Ｔ＜（Ｔ４＋Ｔ５）／２）内であれば、そのままスルー画表示が行われる。また、現在の温度Ｔが現状位置での温度範囲外になった場合には、ルックアップテーブル４２ａを参照して、現在の温度Ｔにおけるピント位置の修正を行う。
【００５４】
次に、第４実施形態について、図１，図４及び図７を参照して説明する。シャッタボタン１４の半押し又は全押しに応答してＡＥ処理，ＡＦ処理が行われてから、スルー画が表示される。現在の温度が現状位置での温度範囲内であれば、そのままスルー画表示が行われる。また、現在の温度が現状位置での温度範囲外になった場合には、ズームレンズ２４をパンフォーカスにするとともに、ルックアップテーブル４２ａを参照して、現在の温度におけるピント位置の修正を行う。
【００５５】
次に、第５実施形態について、図１，図４及び図８を参照して説明する。シャッタボタン１４の半押しに応答してＡＥ処理，ＡＦ処理が行われ、合焦した場合には、シャッタボタン１４の全押しが可能であるが、合焦しても今だシャッタボタン１４が半押し中の場合には、ＣＰＵ２１は、合焦時の温度と現在の温度との差が１℃以上になったらルックアップテーブル４２ｂを参照して、フォーカスレンズを移動してピント位置を修正する。また、シャッタボタン１４の半押しを止めた場合には、スルー画表示が行われる。
【００５６】
また、ＡＦ処理によって合焦しない場合には、ズームレンズ２４をパンフォーカスにしてから、ルックアップテーブル４２ａを参照して、現在の温度Ｔが現状位置での温度範囲内であれば、そのままスルー画表示が行われる。また、現在の温度Ｔが現状位置での温度範囲外である場合には、ルックアップテーブル４２ａを参照して、現在の温度Ｔにおけるピント位置の修正を行う。この後、シャッタボタン１４の半押しを止めた場合には、スルー画表示が行われる。
【００５７】
次に、第６実施形態について、図１，図４及び図９を参照して説明する。この図９では、スルー画表示中であるものとする。ＡＦ処理が行われ、合焦した場合には、ＣＰＵ２１は、合焦時の温度と現在の温度との差が１℃以上になるか否かを観測し、１℃以上になったら更に合焦時の温度と現在の温度との差が規定限界値（例えば±１０℃）以内か否かを見る。この規定限界値内である場合には、ルックアップテーブル４２ｂを参照して、フォーカスレンズを移動してピント位置を修正する。
【００５８】
また、規定限界値を超えている場合には、急激な温度変化があることを示しているので、温度センサの追従性を考慮して、ズームレンズ２４をパンフォーカスにセットする。また、ＡＦ処理によって合焦しない場合もズームレンズ２４をパンフォーカスにセットする。そして、ルックアップテーブル４２ａを参照して、現在の温度におけるピント位置の修正を行う。なお、図９では、ＡＦ処理の前処理については図示を省略しているが、図６〜図８に示すものと同様である。
【００５９】
次に、第７実施形態について、図１，図４及び図１０を参照して説明する。この図１０では、スルー画表示中であるものとする。ＡＦ処理が行われ、合焦した場合には、ＣＰＵ２１は、合焦時の温度と現在の温度との差が１℃以上になったら合焦時から経過した時間が一定時間、例えば１分を超えた時点でズームレンズ２４をパンフォーカスにセットし、ルックアップテーブル４２ａを参照して、現在の温度におけるピント位置の修正を行う。前記一定時間を超えない間は、ルックアップテーブル４２ｂを参照して温度差によるピント位置の修正を行う。また、ＡＦ処理によって合焦しない場合には、ズームレンズ２４をパンフォーカスにセットし、ルックアップテーブル４２ａを参照して、現在の温度におけるピント位置の修正を行う。なお、図１０では、ＡＦ処理の前処理については図示を省略しているが、図６〜図８に示すものと同様である。
【００６０】
以上説明した実施形態では、現在の温度Ｔが現状位置での温度範囲（Ｔ３＋Ｔ４）／２＜Ｔ＜（Ｔ４＋Ｔ５）／２を満たす場合には、ピント位置の修正は不要としたが、例えばＴ４（２５℃）から±２℃の範囲ではピント位置の修正を不要とし、これを超えて変動した場合、ルックアップテーブル４２ａにない温度、例えば２８℃に変動した場合には、ＣＰＵがルックアップテーブル４２ａから補完的に演算して、例えばニア（ｎｅａｒ）方向にピント位置が移動されるように３個のパルスを印加するというようにしてもよい。この場合、例えば、現在の温度Ｔが例えば３２℃になった場合には、Ｔ５とＴ６のデータから演算する。
【００６１】
また、表１，表２における数値によって、本発明が限定されることがないのはもちろんである。また、上記一定時間は、一例として１分としたが、この数値に本発明が限定されることがないのはもちろんである。
【００６２】
【発明の効果】
以上詳細に説明したように、本発明のデジタルカメラは、撮影レンズをパンフォーカスにして電子ビューファインダにスルー画表示するとともに、撮影レンズの温度を測り、撮影レンズの温度に対する撮影レンズのピント修正量を表す温度ルックアップテーブルを参照して撮影レンズのピント位置を修正するので、温度変化があってもスルー画をピントよく表示できる。
【００６３】
また、電子ビューファインダにスルー画表示し、電源投入に伴ってオートフォーカス手段を作動させるとともに、撮影レンズの温度を測り、電源投入時の撮影レンズの温度とその後に変化した撮影レンズの温度との差に応じて撮影レンズのピント位置を修正するので、電源投入で撮影レンズのピント合わせができ、更にその後に温度変化があってもスルー画をピントよく表示できる。
【００６４】
また、電子ビューファインダにスルー画表示し、シャッタボタンの半押し又は全押しによりオートフォーカス手段を作動させるとともに、撮影レンズの温度を測り、オートフォーカス手段による合焦時の撮影レンズの温度とその後に変化した撮影レンズの温度との差に応じて撮影レンズのピント位置を修正するので、温度変化があってもスルー画をピントよく表示できる。
【００６５】
また、電子ビューファインダにスルー画表示し、シャッタボタンの半押し又は全押しによりオートフォーカス手段を作動させるとともに、撮影レンズの温度を測り、シャッタボタンの半押しを継続する間に、オートフォーカス手段による合焦時の撮影レンズの温度とその後に変化した撮影レンズの温度との差に応じて撮影レンズのピント位置を修正するので、温度変化があってもスルー画をピントよく表示できる。
【００６６】
また、撮影レンズのオートフォーカスが不成功であった場合に、撮影レンズをパンフォーカスにするとともに、撮影レンズの温度に対する撮影レンズのピント修正量を表す温度ルックアップテーブルを参照して撮影レンズのピント位置を修正するので、撮影レンズが非合焦であっても、また温度変化があってもスルー画をピントよく表示できる。
【００６７】
また、電子ビューファインダにスルー画表示し、シャッタボタンの半押し又は全押しによりオートフォーカス手段を作動させるとともに、撮影レンズの温度を測り、撮影レンズの温度が温度ルックアップテーブルを参照して撮影レンズのピント修正を行うべき温度である場合に、撮影レンズをパンフォーカスにするとともに温度ルックアップテーブルを参照して撮影レンズのピント位置を修正するので、温度変化があってもスルー画をピントよく表示できる。
【００６８】
また、電子ビューファインダにスルー画表示し、シャッタボタンの半押し又は全押しによりオートフォーカス手段を作動させるとともに、撮影レンズの温度を測り、オートフォーカス手段による合焦時の撮影レンズの温度とその後に変化した撮影レンズの温度との差が予め決められた限界値を超えた場合に、撮影レンズをパンフォーカスにするとともに、温度ルックアップテーブルを参照して撮影レンズのピント位置を修正するので、急激な温度変化があってもスルー画をピントよく表示できる。
【００６９】
また、電子ビューファインダにスルー画表示し、シャッタボタンの半押し又は全押しによりオートフォーカス手段を作動させるとともに、撮影レンズの温度を測り、オートフォーカス手段による合焦時から一定時間が経過した後、撮影レンズをパンフォーカスにするとともに、温度ルックアップテーブルを参照して撮影レンズのピント位置を修正するので、時間制限を設けることで非パンフォーカス状態の時間を短くでき、温度変化があってもスルー画をピントよく表示できる。
【図面の簡単な説明】
【図１】第１実施形態に係るデジタルカメラの背面斜視図である。
【図２】第１実施形態に係るデジタルカメラの電気構成を示すブロック図である。
【図３】第１実施形態に係るスルー画表示のシーケンスを示すフローチャートである。
【図４】第２実施形態に係るデジタルカメラの電気構成を示すブロック図である。
【図５】第２実施形態に係るスルー画表示のシーケンスを示すフローチャートである。
【図６】第３実施形態に係るスルー画表示のシーケンスを示すフローチャートである。
【図７】第４実施形態に係るスルー画表示のシーケンスを示すフローチャートである。
【図８】第５実施形態に係るスルー画表示のシーケンスを示すフローチャートである。
【図９】第６実施形態に係るスルー画表示のシーケンスを示すフローチャートである。
【図１０】第７実施形態に係るスルー画表示のシーケンスを示すフローチャートである。
【符号の説明】
１０，６０  デジタルカメラ
１２  レンズ鏡筒
１３  電源ボタン
１４  シャッタボタン
１６  ズームボタン
１９  液晶パネル
２１  ＣＰＵ
２４  ズームレンズ
２５  温度センサ
２８  レンズ駆動機構
３３  ＣＣＤ
４２  フラッシュメモリ
４２ａ，４２ｂ  ルックアップテーブル
【図１】
2004287183.tif 000005
【図２】
2004287183.tif 000006
【図３】
2004287183.tif 000007
【図４】
2004287183.tif 000008
【図５】
2004287183.tif 000009
【図６】
2004287183.tif 000010
【図７】
2004287183.tif 000011
【図８】
2004287183.tif 000012
【図９】
2004287183.tif 000013
【図１０】
2004287183.tif 000014